(57)【要約】【課題】  スポーツ用手袋のゴルフクラブやテニスラケットを振る部分に５ｍ／ｍ〜１０ｍ／ｍくらいの大きさの穴をあけ、素手の感覚でゴルフクラブやテニスラケットを振れるようになしたスポーツ用手袋を提供する。【解決手段】  手袋本体の掌部及び人差し指、中指、薬指、小指の掌部側に直径５ｍ／ｍ〜１０ｍ／ｍの穴をあけ、ゴルフクラブやテニスラケットを振ったとき手の素肌が直接ゴルフクラブやテニスラケットに接し素手で振った感覚でグリップ出来る。【選択図】  図１
0003116418.tif 000002
【実用新案登録請求の範囲】
【請求項１】
手袋の本体の掌部及び人差し指、中指、薬指、小指の掌部側に手の素肌がゴルフクラブ、テニスラケットのグリップに直接接するように直径５ｍ／ｍ〜１０ｍ／ｍくらいの大きさの楕円形あるいは円形の穴をあけたスポーツ用手袋。
【考案の詳細な説明】
【技術分野】
【０００１】  本考案はゴルフやテニスのプレーの際に着用するスポーツ用手袋に係りグリップを握る部分、すなわち手袋本体の掌部及び人差し指、中指、薬指、小指の掌部側に手の素肌が直接グリップに接するように直径５ｍ／ｍ〜１０ｍ／ｍくらいの楕円形あるいは、円形の穴をあけたスポーツ用手袋に関する。
【背景技術】
【０００２】  ゴルフやテニスのプレーの際には、天然皮革、人工皮革、あるいは合成皮革で作られた手袋を着用するがグリップ時の感覚は素手で握っている感覚が望ましい。【０００３】  手のサイズも欧米人の多くは指が長く、日本人のようにアジア圏の人種は一般的に指が短い。この異人種の指の長さに対応するためには、指の長さの異なる多種類のサイズの手袋を作成しなければならなかった。
【考案の開示】
【考案が解決しようとする課題】
【０００４】  本考案は、手袋本体のゴルフクラブやテニスラケットを握る部分、すなわち手袋本体の掌部及び人差し指、中指、薬指、小指の掌部側に手の素肌が直接ゴルフクラブやテニスラケットに接するように５ｍ／ｍ〜１０ｍ／ｍくらいの大きさの楕円形あるいは、円形状の穴を開け手袋の素材による違和感を軽減し素手でゴルフクラブやテニスラケットを握っているようにしたスポーツ用手袋を提供することを目的とするものである。【０００５】  本考案の手袋本体の掌部及び人差し指、中指、薬指、小指の掌部側に直径５ｍ／ｍ〜１０ｍ／ｍの穴を開けることにより手袋の指の長さを調節することが出来、欧米人の多い指の長い人でも対応することが出来るスポーツ用手袋を提供することを目的としたものである。
【課題を解決するための手段】
【０００６】  上記の目的を達成するための本考案の構成を詳述すれば、請求項１に係る考案は、手袋本体の掌部及び人差し指、中指、薬指、小指の掌部側に手の素肌が直接ゴルフクラブやテニスラケットに接するように直径５ｍ／ｍ〜１０ｍ／ｍくらいの大きさの楕円形あるいは、円形の穴を開けたことを特徴とするスポーツ用手袋である。
【考案の効果】
【０００７】  本考案によれば、手袋本体のゴルフクラブやテニスラッケトを握る部分、すなわち本体の掌部及び人差し指、中指、薬指、小指の掌部側に手の素肌が直接ゴルフクラブやテニスラケットに接するように直径５ｍ／ｍ〜１０ｍ／ｍらいの大きさの穴を開けることにより、手袋素材による違和感を軽減でき、素手でゴルフクラブやテニスラケットを握っているような手袋となる。【０００８】  上記の穴を開けることにより手袋の指の長さを調節することが出来、欧米人に多い指の長い人たちにもフィットする。【０００９】  上記の穴をあけることにより通気性がよくなり、手袋の中でムレルことが少なくなる。
【考察の実施するための最良の形態】
【００１０】  以下、本考案に係るスポーツ用手袋の具体的構成を図示の実施形態に基づいて詳細に説明する。
【００１１】  図１は本考案スポーツ用手袋掌部の実施形態を示す平面図、図２はスポーツ用手袋甲部の実施形態を示す平面図である。
【００１２】  図１−１は天然皮革、人工皮革あるいは合成皮革を用いて作成されたスポーツ用手袋本体の掌部を示し、図２−１は当該手袋本体の甲部側を示す。図１−２は親指の掌部側であり図２−２は親指の甲部側である。図２−３は指の側面に縫着してあるマチ部である。
【００１３】  図１−４は掌部裏側に伸縮性のある織ゴムをジグザグミシンで縫着してあり、図２−４は甲部裏側に伸縮性のある織ゴムをジグザグミシンで縫着してある。
【００１４】  図２−６は甲部側における手の挿入開口部であり、図２−５は当該開口部６の一側縁に縫着手段によって取り付けられた緊締ベルト片である。緊締ベルト片５は多数の係着子を植設した面ファスナーＡで構成されており手袋本体の甲側図２−１に縫着されている他方の面ファスナーＢに係着させるためのものである。
【００１５】  図１−７は本考案である手袋本体の人差し指、中指、薬指、小指の掌部側に直径５ｍ／ｍ〜１０ｍ／ｍの少なくとも２ヶ所以上の穴をあけてある。
この穴はゴルフクラブやテニスラケットを握ったとき指の素肌が直接ゴルフクラブやテニスラケットに接する大きさが好ましく、天然皮革、人工皮革、合成皮革の素材の薄さ、柔らかさで直径５ｍ／ｍ〜１０ｍ／ｍくらいの範囲で大きさを決めたほうが良い。すなわち、薄くて柔らかい素材は手袋を使用すればするほど穴が広がり大きくなりやすいので直径５ｍ／ｍくらいの小さい穴が良い。厚くてやや硬い素材は手袋の使用回数が増えても穴が広がり大きくなりにくいので直径１０ｍ／ｍくらいの大きい穴が良い。穴は大きいほど手の肌に直接接する面積が広くなるので素肌で握っている感触を得やすい。
【００１６】  穴の形状は楕円形でも円形でもよい。
【００１７】  図３−７は人差し指、中指、薬指、小指の各指の掌部側に３ヶ所の穴をあけた実施例である。指先近くに穴をあけることによりパター等微妙なタッチを要求されるプレー時に効果がある。
【００１８】  図４−７は親指の甲部側に２ヶ所穴をあけてある。親指の甲部側に穴をあけることにより親指の屈伸が容易になり、又、親指の長さ、太さの調整が出来、フィット出来る。
【００１９】  図５−７は手袋本体の掌部及び人差し指、中指、薬指、小指の掌部側に穴を開けた実施例である。テニスのプレーの際に適しており、素材の違和感が少なく素手の感覚でラケットを握ることが出来る。
【図面の簡単な説明】
【００２０】
【図１】  本考案、ゴルフ用手袋掌部の実施形態を示す平面図である。人差し指、中指、薬指、小指に各２ヶ所ずつ穴をあけてある。
【図２】  本考案、ゴルフ用手袋甲部の実施形態を示す平面図である。
【図３】  本考案、ゴルフ用手袋掌部の実施形態を示す平面図である。人差し指、中指、薬指、小指の掌部側に各３ヶ所ずつ穴をあけてある。
【図４】  本考案、ゴルフ用手袋甲部の実施形態を示す平面図である。親指の甲部側に２ヶ所の穴をあけてある。
【図５】  本考案、テニス用手袋掌部の実施形態を示す平面図である。手袋本体の掌部及び人差し指、中指、薬指、小指の掌部に穴をあけてある。
【図６】  本考案、テニス用手袋甲部の実施形態を示す平面図である。手袋の本体図６−１は、ＵＶカットを施したストレッチ機能を有する布綿等を用いてもよい。
【符号の説明】
【００２１】  １  手袋本体
２  手袋親指部
３  手袋マチ部
４  伸縮性織ゴム
５  緊締ベルト片
６  挿入開口部
７  穴
【図１】
0003116418.tif 000003
【図２】
0003116418.tif 000004
【図３】
0003116418.tif 000005
【図４】
0003116418.tif 000006
【図５】
0003116418.tif 000007
【図６】
0003116418.tif 000008